(57)【要約】【課題】  コスト上昇を抑制しながら新規な見栄えを実現することが可能な表示装置を提供する。【解決手段】  所定の間隔を有して開口形成される複数個の貫通部５６と貫通部５６を包囲する光透過部５３とが設けられた表示パネル５０と、複数個の貫通部５６に対応するように設けられる複数個の凸目盛部６４と、光透過部５３に対応するように表示パネル５０の前方側に配置される導光部１００と、複数個の凸目盛部６４に第１の照明光を供給するとともに光透過部５３を通じて導光部１００に第２の照明光を供給する光源８０とを備え、貫通部５６の内側となる表示パネル５０の表面側には光学的拡大手段としての微細凹凸部５７が設けられ、導光部１００には、第２の照明光を凸目盛部６４を介して微細凹凸部５７へと反射させる反射部１０２が設けられている。【選択図】図３
2015040740.tif 000002
【特許請求の範囲】
【請求項１】
所定の間隔を有して開口形成される複数個の貫通部と前記貫通部を包囲する光透過部とが設けられた表示パネルと、
前記複数個の貫通部に対応するように設けられる複数個の透光部と、
前記光透過部に対応するように前記表示パネルの前方側に配置される導光部と、
前記複数個の透光部に第１の照明光を供給するとともに前記光透過部を通じて前記導光部に第２の照明光を供給する光源とを備え、
前記貫通部の内側となる前記表示パネルの表面側には光学的拡大手段が設けられ、
前記導光部には、前記第２の照明光を前記透光部を介して前記光学的拡大手段へと反射させる反射部が設けられていることを特徴とする表示装置。
【請求項２】
所定の間隔を有して開口形成される複数個の貫通部と前記貫通部を包囲する光透過部とが設けられた表示パネルと、
前記複数個の貫通部に対応するように設けられる複数個の透光部と前記光透過部に対応するように前記表示パネルの前方側に配置される導光部とを有する導光部材と、
前記複数個の透光部に第１の照明光を供給するとともに前記光透過部を通じて前記導光部に第２の照明光を供給する光源とを備え、
前記貫通部の内側となる前記表示パネルの表面側には光学的拡大手段が設けられ、
前記導光部には、前記第２の照明光を前記透光部を介して前記光学的拡大手段へと反射させる反射部が設けられていることを特徴とする表示装置。
【請求項３】
所定の間隔を有して開口形成される複数個の貫通部と前記貫通部を包囲する光透過部とが設けられた表示パネルと、
前記複数個の貫通部に対応するように設けられる複数個の透光部と、
前記光透過部に対応するように前記表示パネルの前方側に配置される導光部と、
前記複数個の透光部に第１の照明光を供給するとともに前記光透過部を通じて前記導光部に第２の照明光を供給する光源とを備え、
前記貫通部の内側となる前記表示パネルの表面側には光学的拡大手段を備えた透光部材が配設され、
前記導光部には、前記第２の照明光を前記透光部を介して前記光学的拡大手段へと反射させる反射部が設けられていることを特徴とする表示装置。
【請求項４】
所定の間隔を有して開口形成される複数個の貫通部と前記貫通部を包囲する光透過部とが設けられた表示パネルと、
前記複数個の貫通部に対応するように設けられる複数個の透光部と前記光透過部に対応するように前記表示パネルの前方側に配置される導光部とを有する導光部材と、
前記複数個の透光部に第１の照明光を供給するとともに前記光透過部を通じて前記導光部に第２の照明光を供給する光源とを備え、
前記貫通部の内側となる前記表示パネルの表面側には光学的拡大手段を備えた透光部材が配設され、
前記導光部には、前記第２の照明光を前記透光部を介して前記光学的拡大手段へと反射させる反射部が設けられていることを特徴とする表示装置。
【請求項５】
前記反射部は、前記複数個の透光部に対応するように前記導光部に複数個設けられていることを特徴とする請求項１から請求項４のうち何れか１つに記載の表示装置。
【請求項６】
前記光透過部には、前記光源の発光色とは異なる色調を有する着色手段が形成されていることを特徴とする請求項１または請求項３記載の表示装置。
【請求項７】
前記導光部は、前記光源の発光色とは異なる色調を有する透光性着色部材からなることを特徴とする請求項１または請求項３記載の表示装置。
【請求項８】
前記光学的拡大手段は、同心円状のフレネルレンズ面からなることを特徴とする請求項１から請求項４のうち何れか１つに記載の表示装置。
【発明の詳細な説明】
【技術分野】
【０００１】
本発明は、例えば自動車等の車両に搭載された速度計のごとき表示装置に関するものである。
【背景技術】
【０００２】
従来より、この種の表示装置にあっては、例えば下記特許文献１に記載されているものが知られている。この特許文献１に記載の表示装置は、指針が指示する速度数字からなる指標部と指標部を取り巻くように設けられた光透過部とを有する表示パネルと、指標部に第１の照明光を供給するように表示パネルの背後に配置される第１の光源と、光透過部に第２の照明光を供給するように光透過部の直下に配置される第２の光源と、指標部と光透過部との双方を覆うように指針と表示パネルの間に配置される透光部材とを備え、透光部材の側壁部には前記指標部に対応するように反射面（光案内部）形成されており、第１の光源から発せられる第１の照明光によって指標部が発光表示されるとともに、第２の光源から発せられる第２の照明光が前記反射面によって指針の回転中心方向へと反射導光されることで、表示パネル上において所定の間隔を配して線状光線が放射状に発光表示されるものである。
【先行技術文献】
【特許文献】
【０００３】
【特許文献１】国際公開第２０１０／１５０５８３号
【発明の概要】
【発明が解決しようとする課題】
【０００４】
ところで、特許文献１に記載の表示装置の場合、上述のように透光部材に設けられた反射面を利用して線状光線が放射状に発光表示されるという斬新さのある表示装置を提供するものであるが、表示パネルに備えられる指標部と放射状の線状光線との双方を発光表示させるにあたり、光源として２種類の光源が必要であるため（つまり指標部を発光表示するための第１の光源と放射状の線状光線を発光表示させるための第２の光源とが必要であるため）、部品費や組付費が嵩み、コストアップの原因となっていた。
そこで本発明は、前述の課題に対して対処するため、コスト上昇を抑制しながら新規な見栄えを実現することが可能な表示装置の提供を目的とするものである。
【課題を解決するための手段】
【０００５】
本発明は、所定の間隔を有して開口形成される複数個の貫通部と前記貫通部を包囲する光透過部とが設けられた表示パネルと、前記複数個の貫通部に対応するように設けられる複数個の透光部と、前記光透過部に対応するように前記表示パネルの前方側に配置される導光部と、前記複数個の透光部に第１の照明光を供給するとともに前記光透過部を通じて前記導光部に第２の照明光を供給する光源とを備え、前記貫通部の内側となる前記表示パネルの表面側には光学的拡大手段が設けられ、前記導光部には、前記第２の照明光を前記透光部を介して前記光学的拡大手段へと反射させる反射部が設けられていることを特徴とする。
【０００６】
また本発明は、所定の間隔を有して開口形成される複数個の貫通部と前記貫通部を包囲する光透過部とが設けられた表示パネルと、前記複数個の貫通部に対応するように設けられる複数個の透光部と前記光透過部に対応するように前記表示パネルの前方側に配置される導光部とを有する導光部材と、前記複数個の透光部に第１の照明光を供給するとともに前記光透過部を通じて前記導光部に第２の照明光を供給する光源とを備え、前記貫通部の内側となる前記表示パネルの表面側には光学的拡大手段が設けられ、前記導光部には、前記第２の照明光を前記透光部を介して前記光学的拡大手段へと反射させる反射部が設けられていることを特徴とする。
【０００７】
また本発明は、所定の間隔を有して開口形成される複数個の貫通部と前記貫通部を包囲する光透過部とが設けられた表示パネルと、前記複数個の貫通部に対応するように設けられる複数個の透光部と、前記光透過部に対応するように前記表示パネルの前方側に配置される導光部と、前記複数個の透光部に第１の照明光を供給するとともに前記光透過部を通じて前記導光部に第２の照明光を供給する光源とを備え、前記貫通部の内側となる前記表示パネルの表面側には光学的拡大手段を備えた透光部材が配設され、前記導光部には、前記第２の照明光を前記透光部を介して前記光学的拡大手段へと反射させる反射部が設けられていることを特徴とする。
【０００８】
また本発明は、所定の間隔を有して開口形成される複数個の貫通部と前記貫通部を包囲する光透過部とが設けられた表示パネルと、前記複数個の貫通部に対応するように設けられる複数個の透光部と前記光透過部に対応するように前記表示パネルの前方側に配置される導光部とを有する導光部材と、前記複数個の透光部に第１の照明光を供給するとともに前記光透過部を通じて前記導光部に第２の照明光を供給する光源とを備え、前記貫通部の内側となる前記表示パネルの表面側には光学的拡大手段を備えた透光部材が配設され、前記導光部には、前記第２の照明光を前記透光部を介して前記光学的拡大手段へと反射させる反射部が設けられていることを特徴とする。
【０００９】
また本発明は、前記反射部は、前記複数個の透光部に対応するように前記導光部に複数個設けられていることを特徴とする。
【００１０】
また本発明は、前記光透過部には、前記光源の発光色とは異なる色調を有する着色手段が形成されていることを特徴とする。
【００１１】
また本発明は、前記導光部は、前記光源の発光色とは異なる色調を有する透光性着色部材からなることを特徴とする。
【００１２】
また本発明は、前記光学的拡大手段は、同心円状のフレネルレンズ面からなることを特徴とする。
【発明の効果】
【００１３】
本発明によれば、初期の目的を達成でき、コスト上昇を抑制しながら新規な見栄えを実現することが可能な表示装置を提供できる。
【図面の簡単な説明】
【００１４】
【図１】本発明の第１実施形態による表示装置の正面図。
【図２】図１のＡ−Ａ断面図。
【図３】図２の一部を拡大して示す拡大断面図。
【図４】図１のＢ−Ｂ断面図。
【図５】同実施形態による虚像が表示される状態を簡略的に示す図。
【図６】本発明の第２実施形態による表示装置の要部断面図。
【図７】本発明の第３実施形態による表示装置の要部断面図。
【図８】本発明の第４実施形態による表示装置の要部断面図。
【発明を実施するための形態】
【００１５】
以下、図１〜図４に基づいて、本発明を車両に搭載された速度計に適用した一実施形態（第１実施形態）を説明する。
【００１６】
図１、図２において、本実施形態による表示装置としての速度計は、回路基板１０と、この回路基板１０に導通装着され回転軸２０が前方に延びる駆動装置３０と、回転軸２０にて回転駆動される指針４０と、この指針４０の背後に位置して回路基板１０上に配置される表示パネル５０と、その主要部が回路基板１０と表示パネル５０との間に位置している導光部材６０と、指針４０に照明光を供給する指針用光源７０と、導光部材６０に照明光を供給する光源８０と、主に導光部材６０を保持する機能を有するケース体９０と、表示パネル５０の前方側に位置している導光部１００と、この導光部１００を覆うように表示パネル５０上に配置される装飾リング１１０とを備えている。
【００１７】
回路基板１０は、例えばガラスエポキシ系基材に配線パターン（図示せず）を施した硬質回路基板からなり、指針用光源７０と、光源８０と、例えば駆動装置３０の駆動・制御を行う駆動手段（図示せず）と、抵抗、コンデンサ等の各種回路部品（図示せず）とが前記配線パターンに導通接続されている。
【００１８】
駆動装置３０は、可動磁石式計器またはステッピングモータからなり、回転軸２０が回路基板１０を貫通するように、その主要部が回路基板１０の背後に装着され、且つ半田付け等の適宜導通手段により前記配線パターン（前記駆動手段）に電気接続される。
【００１９】
指針４０は、透光性の合成樹脂からなり、回転軸２０の先端に連結され、その回転中心部には遮光性カバーが装着されている。そして、この指針４０は指針用光源７０からの照明光を受けて発光する発光式指針である。
【００２０】
表示パネル５０は、指針４０の作動範囲に沿った円弧状の配列形状を有し、指針４０によって指示される複数個の速度数字からなる計測値表示部５１と、この計測値表示部５１の背景を形成する遮光層からなる背景部５２と、後述する貫通部の外側で背景部５２を計測値表示部５１（前記貫通部）を包囲するように略円環状（または略馬蹄形状）に抜き形成してなる光透過部５３とが設けられている（図３参照）。
【００２１】
これら計測値表示部５１、背景部５２並びに光透過部５３は、計測値表示部５１が例えば白色の透光性インクにより、背景部５２が例えば黒色の遮光性インクにより、それぞれ表示パネル５０の母材となる薄板状からなる光透過性の基板５４の表面に印刷形成される。
【００２２】
光透過部５３は、背景部５２を形成する遮光性インクを抜き印刷することにより、背景部５２が形成されない抜き印刷部分からなり、従って、光透過部５３の形成個所においては、基板５４が部分的に露出し、導光部材６０を通じて導かれた光源８０からの照明光を導光部１００側に透過できるようになっている。
【００２３】
また、光透過部５３の前面には、例えば青色の透光性インクにより着色層（着色手段）５５が印刷形成されている。この着色層５５は、光源８０の発光色（ここでは白色光）とは異なる色調である青色を有するものであり、光透過部５３と導光部１００との間に挟まれるように表示パネル５０の周縁に位置している。
【００２４】
従って、光透過部５３と着色層５５とによって導光部１００を光源８０の発光色とは異なる色調に着色させることができ、光源８０から発せられる照明光（白色光）が導光部材６０を経て導光部１００に供給された際には、導光部１００に導光された照明光は青色（光源８０の発光色とは異なる色調）に着色されるため、導光部１００の着色光を導光部材６０に備えられる後述する凸目盛部及び計測値表示部５１の透過光に対して容易に異ならせることができる。なお、着色層５５の色調は、光源８０の発光色（白色）と異なる色調であれば、青色に限らず、あらゆる色調を適用することができる。
【００２５】
また、計測値表示部５１と光透過部５３との間に位置する背景部５２箇所には、所定の間隔を有して略矩形状に開口形成される貫通孔からなる複数個の貫通部５６が設けられている。これら複数個の貫通部５６は、複数個の計測値表示部５１に対応するようにそれぞれ設けられ、複数個の貫通部５６からは、複数個の前記凸目盛部が視認者側に向けて突出している。
【００２６】
また、図３中、５７は、貫通部５６の内側となる表示パネル５０の表面側に設けられた光学的拡大手段としての微細凹凸部である。具体的には、この場合、微細凹凸部５７は、貫通部５６の内側であって、導光部材６０に備えられる後述する円環部の配設位置に対応するように計測値表示部５１及び背景部５２の表面側に形成された略同心円状のフレネルレンズ面からなるものである。なお、計測値表示部５１や背景部５２は基板５４の背面に形成してもよく、同様に着色層５５も光透過部５３（基板５４）の背面に形成してもよい。
【００２７】
導光部材６０は、透光性合成樹脂からなり、表示パネル５０の背面に沿うように配置される略円環状の円環部６１と、光源８０の発光面と対向するように光源８０の真上に位置している立壁部６２と、円環部６１と立壁部６２とを繋ぐ傾斜壁部６３と、表示パネル５０の各貫通部５５を貫通して表示パネル５０の前方側に突出している複数個の凸目盛部６４とを備えている。
【００２８】
円環部６１は、立壁部６２及び傾斜壁部６３を経て光源８０から発せられる照明光を凸目盛部６４や光透過部５３へと導くためのものである。また、円環部６１の前記外縁部分には、立壁部６２、傾斜壁部６３並びに円環部６１を経て光源８０から発せられる照明光を主に光透過部５３側へと効率よく導くための傾斜面形状からなる反射壁部６１ａが形成されている。
【００２９】
立壁部６２は、略すり鉢状の円筒体にて形成され、その下端面は光源８０の発光面と対向している。光源８０から発せられる照明光は、前記下端面を通じて立壁部６２内に入射し、その後、傾斜壁部６３を経て円環部６１の前記外縁部分へと放射状に反射導光されるものである。
【００３０】
また、傾斜壁部６３の表面側には、立壁部６２内に入射した光源８０からの照明光を円環部６１へと反射導光させるための傾斜面形状からなる反射面６３ａが設けられている。
【００３１】
透光部である凸目盛部６４は、複数個の貫通部５６に対応するように設けられ、その個数は複数個の貫通部５６の個数と同一となっている。また、個々の凸目盛部６４は、速度数字からなる個々の計測値表示部５１と対をなすものであり、計測値表示部５１の一部を構成している。
【００３２】
指針用光源７０は、例えば赤色光を発するチップ型発光ダイオードからなり、指針４０の前記回転中心部に対応するように回路基板１０上に複数個実装され、指針４０を赤色に発光させる発光体である。
【００３３】
光源８０は、例えば白色光を発するチップ型発光ダイオードからなり、その発光面が導光部材６０における立壁部６２の前記下端面と対向するように回路基板１０上に複数個実装され、各凸目盛部６４や各計測値表示部５１に照明光（第１の照明光）を供給するとともに、光透過部５３を通じて導光部１００に照明光（第２の照明光）を供給する発光体である。
【００３４】
そして、この場合、前記第１の照明光が各凸目盛部６４や各計測値表示部５１に導かれることによって、計測値表示部５１や凸目盛部６４が白色に発光し、前記第２の照明光が導光部１００に導かれることによって導光部１００は青色に発光する。
【００３５】
ケース体９０は、例えば白色系の合成樹脂からなり、表示パネル５０や導光部材６０を保持する保持体としての機能、光源７０や発光体８０を収納するハウジングとしての機能、発光体８０からの照明光を前方側に反射させる反射体としての機能を有している。
【００３６】
またケース体９０は、発光体８０を収納し指針４０の前記回転中心部に発光体８０からの照明光（赤色光）を供給するための筒状部９１と、導光部材６０の円環部６１を保持する保持部９２とを有している。
【００３７】
導光部１００は、例えば無色透明の透光性合成樹脂からなり、略円環リング状に形成され、光透過部５３に対応するように表示パネル５０の前方側に配置（載置）されている。
【００３８】
この導光部１００には、光透過部５３を透過した照明光を入射する入射面（入射部）１０１と、この入射面１０１を通じて導光部１００内に導入された照明光を回転軸２０側（凸目盛部６４側）に向けて反射導光させるための傾斜面形状からなる反射部１０２と、この反射部１０２によって反射された照明光を凸目盛部６４側に向けて出射させる出射面（出射部）１０３とが設けられている。
【００３９】
反射部１０２は、本例の場合、複数個の凸目盛部６４に対応するように導光部１００に複数個設けられている。具体的には、個々の凸目盛部６４の外側において、個々の凸目盛部６４と隣接した状態で、個々の凸目盛部６４に対応して個々の反射部１０２が断面略三角形状を有するように設けられている。従って、図４に示すように凸目盛部６４の形成されていない領域に対応する導光部１００の表面箇所には反射部１０２は形成されておらず、当該表面箇所の形状は平坦面（フラットな面）となっている。また、反射部１０２は、出射面１０３から出射される前記第２の照明光を凸目盛部６４を通じて（介して）微細凹凸部５７へと反射させる反射面を構成している。
【００４０】
装飾リング１１０は、ここでの詳細図示は省略するが、透光性合成樹脂材料にて形成された略Ｌ字状のリング本体部の表面全体に金属色調の表面処理が施された装飾部材からなり、導光部１００を覆い隠すように構成されている。
【００４１】
このような構成において、光源８０から発せられる照明光（白色光）は、上述のように立壁部６２、傾斜壁部６３、円環部６１を経て円環部６１の前記外縁部分へと放射状に反射導光される。この円環部６１の前記外縁部分へと放射状に反射導光された白色光は、各凸目盛部６４や各計測値表示部５１へと白色光を導入する前記第１の照明光と、光透過部５３へと白色光を導入する前記第２の照明光とに大別される。
【００４２】
そして、前記第１の照明光は、各凸目盛部６４や各計測値表示部５１へと白色光が導入されることで、各凸目盛部６４と各計測値表示部５１とが白色で発光する。
【００４３】
一方、前記第２の照明光は、光透過部５３へと白色光が導入された後、着色層５５を透過する際に青色光となり、この青色光が入射面１０１を通じて導光部１００の内部へと導入される。この導光部１００の内部へと導入された青色光は、反射部１０２によって中心側（回転軸２０側）に向けて反射され、凸目盛部６４を通過した後、凸目盛部６４の内壁面Ｐから表示パネル５０に形成された微細凹凸部５７に向けて青色出射光として出射される。
【００４４】
この際、凸目盛部６４の非形成領域に対応した導光部１００の表面箇所には、反射部１０２が形成されていないことから、当該導光部１００の表面箇所を通過する青色光は、その真上にある装飾リング１１０によって遮られるため、視認者側から視認されることはない。
【００４５】
そして、着色層５５によって青色に着色された後、導光部１００と凸目盛部６４とを経て微細凹凸部５７へと至る前記青色出射光は、光学的拡大手段である微細凹凸部５７での光反射作用によって、凸目盛部６４に連なる（計測値表示部５１と重なる）放射状の青色の虚像Ｖとなって視認者側から視認される（図１参照）。
【００４６】
この青色の虚像Ｖは、個々の凸目盛部６４に連なるように凸目盛部６４の内側に略線状に延びた線状光線となっており、この場合、速度計の中心点（回転軸２０側）では、光線が尾を引くように延びた先細り状の線状光線となっている。また、凸目盛部６４の長手方向に沿い、引き延ばされている（拡大している）かのごとく視認される線状光線である青色の虚像Ｖは、速度計の中心点（回転軸２０側）を中心として見た場合、あたかも花火打ち上げ時の模様を模した放射状の装飾模様となっている。
【００４７】
ここで、凸目盛部６４と微細凹凸部５７との位置関係に着目すると、回転軸２０側に向かうに従い、凸目盛部６４の内壁面Ｐから微細凹凸部５７までの距離差が次第に大きくなっている及び当該距離差が大きいほど微細凹凸部５７にあたる光量が小さくなることに起因して、青色の虚像Ｖは、前記距離差が大きいほど、図５に示すように表示パネル５０（基板５４）の板面から奥まった位置にあるかのように視認者側から視認され、且つ、その濃淡が回転軸２０側に向かうに従って（前記距離差が大きいほど）、淡くなるように視認されることから、新規（斬新）な見栄えを実現することが可能となる。
【００４８】
以上のように本実施形態では、所定の間隔を有して開口形成される複数個の貫通部５６と貫通部５６を包囲する光透過部５３とが設けられた表示パネル５０と、複数個の貫通部５６に対応するように設けられる複数個の凸目盛部（透光部）６３と、光透過部５３に対応するように表示パネル５０の前方側に配置される導光部１００と、複数個の凸目盛部６４に前記第１の照明光を供給するとともに光透過部５３を通じて導光部１００に前記第２の照明光を供給する光源８０とを備え、貫通部５６の内側となる表示パネル５０の表面側には光学的拡大手段としての微細凹凸部５７が設けられ、導光部１００には、前記第２の照明光を凸目盛部６４を介して微細凹凸部５７へと反射させる反射部１０２が設けられているものである。また、反射部１０２は、複数個の透光部６３に対応するように導光部１００に複数個設けられ、微細凹凸部５７、同心円状のフレネルレンズ面からなるものである。
【００４９】
従って、従来のように２種類の光源ではなく単一（１つ）の光源８０から発せられる白色光を利用して、表示パネル５０の計測値表示部５１と放射状に形成された青色の虚像Ｖとの双方を発光表示させることができ、しかも、青色の虚像Ｖは、前記距離差が大きいほど表示パネル５０（基板５４）の板面から奥まった位置にあるかのように視認者側から視認され、且つ、その濃淡が前記距離差が大きいほど淡くなるように視認されることから、コスト上昇を抑制しながら（光源の個数を必要最小限としつつ）新規な見栄えを実現することが可能な表示装置を提供することができる。
【００５０】
また本実施形態では、光透過部５３には、光源８０の発光色とは異なる色調を有する着色層５５が形成されていることにより、導光部１００に導光される前記第２の照明光を着色層５５によって光源８０の発光色（白色）とは異なる色に容易に着色することができ、計測値表示部５１と導光部１００とを異なる色で発光させる際に有利である。なお、着色層５５は、必要に応じて廃止してもよく、この場合、放射状の虚像Ｖは、光源８０の発光色である白色で発光表示される。
【００５１】
また本実施形態では、光透過部５３に光源８０の発光色とは異なる色調を有する青色の着色層５５を設けた例について説明したが、例えば着色層５５を廃止するとともに、導光部１００自体が青色等に着色された透光性着色部材（つまり導光部１００が光源８０の発光色とは異なる色調を有する透光性着色部材からなる）場合であっても、前記第１実施形態と同様の作用効果を得ることができる。
【００５２】
また本実施形態では、凸目盛部６４を有する導光部材６０とは別部材である導光部１００を用いて放射状の虚像Ｖが発光表示される例について説明したが、例えば本発明の第２実施形態として図６に示すように導光部１００が導光部材に一体的に形成されているような構成であってもよい。
【００５３】
このとき、導光部材１２０は、前記第１実施形態にて採用した円環部６１、立壁部６２、複数個の凸目盛部６４、並びに前記第１実施形態にて採用した導光部１００と同一形状、同一機能を有する導光部１２１を有する構成となっている。なお、この第２実施形態において、放射状に形成される虚像Ｖの発光色は、光源８０の発光色とは同色（例えば白色）となる。
【００５４】
また本実施形態では、貫通部５６の内側となる表示パネル５０の表面側に微細凹凸部５７が設けられている例について説明したが、例えば本発明の第３実施形態として図７に示すように、微細凹凸部５７を廃止し、貫通部５６の内側となる表示パネル５０の表面側に無色透明な透光性合成樹脂からなる略円環板状の透光部材１３０を配設し、この透光部材１３０の背面に前記第１実施形態にて採用した微細凹凸部５７と同一機能を有する光学的拡大手段としての微細凹凸部１３１を形成してもよい。
【００５５】
この場合、導光部１００に備えられる反射部１０２は、前記第２の照明光を各凸目盛部６４を介して透光部材１３０の微細凹凸部１３１へと反射させる反射面としての機能を有し、導光部１００と凸目盛部６４とを経て透光部材１３０に備えられる微細凹凸部１３１へと至る前記青色出射光は、前記第１実施形態と同様に光学的拡大手段である微細凹凸部１３１での光反射作用によって、凸目盛部６４に連なる放射状の青色の虚像Ｖとなって視認者側から視認される。
【００５６】
なお、当該第３実施形態において、微細凹凸部１３１は透光部材１３０の背面ではなく視認者側となる透光部材１３０の前面に形成してもよい。また、当該第３実施形態において、着色層５５は、必要に応じて廃止してもよく、この場合、放射状の虚像Ｖは、光源８０の発光色である白色で発光表示される。
【００５７】
また前記第１、第３実施形態では、凸目盛部６４を有する導光部材６０とは別部材である導光部１００を用いて放射状の虚像Ｖが発光表示される例について説明したが、例えば本発明の第４実施形態として図８に示すように導光部１００が、前記第２実施形態のように導光部材１２０と一体的に形成されているような構成であってもよい。
【００５８】
このとき、導光部材１２０は、前記第１〜第３実施形態にて採用した円環部６１、立壁部６２、複数個の凸目盛部６４、並びに前記第２実施形態にて採用した導光部１２１を有する構成となっている。なお、この第４実施形態において、放射状に形成される虚像Ｖの発光色は、光源８０の発光色と同色（例えば白色）となる。
【符号の説明】
【００５９】
１０    回路基板
４０    指針
５０    表示パネル
５１    計測値表示部
５２    背景部
５３    光透過部
５５    着色層（着色手段）
５６    貫通部
５７、１３１  微細凹凸部（光学的拡大手段）
６０、１２０  導光部材
６１    円環部
６１ａ  反射壁部
６２    立壁部
６４    凸目盛部（透光部）
８０    光源
９０    ケース体
１００、１２１  導光部
１０１    入射面（入射部）
１０２    反射部
１０３    出射面（出射部）
１３０    透光部材
Ｖ    虚像
【図２】
2015040740.tif 000003
【図３】
2015040740.tif 000004
【図４】
2015040740.tif 000005
【図６】
2015040740.tif 000006
【図７】
2015040740.tif 000007
【図８】
2015040740.tif 000008
【図１】
2015040740.tif 000009
【図５】
2015040740.tif 000010